(57)【要約】【課題】  少ないリモコンのボタン数による簡単な操作によってすばやく注目の番組選択できる映像視聴装置を提供する。【解決手段】  セットトップボックスと，ＴＶモニタを制御するリモコンと放送信号を受信するチューナと，視聴情報を送信するネットワークインタフェースと，リモコンからの制御コマンドを受信する受信手段と，放送信号とストリームデータをデコードするデコード手段と，リモコンの放送信号により提供される番組チャンネルとストリームデータにより提供される番組チャンネルを統合し，記憶されたメモリ記憶手段と，内容を書き換えることができるチャンネル切替テーブル変更制御手段と，ＴＶモニタ上にチャンネルのリストを表示する画面表示制御手段と，セットトップボックスからの出力信号をＴＶモニタに伝送する外部出力手段と，視聴番組と時間を計測する視聴傾向計測手段とを備える。【選択図】  図１
2007325157.tif 000002
【特許請求の範囲】
【請求項１】
タイムスケジュールに従って送信される放送信号とネットワーク上のサーバから送信されるストリームデータとを受信し，映像表示手段に映像コンテンツを表示する映像視聴装置において，
前記映像表示手段を制御するリモコンと，
前記放送信号を受信するチューナと，
前記サーバからのストリームデータを受信し該サーバに視聴情報を送信するネットワークインタフェースと，
前記リモコンからの制御コマンドを受信する受信手段と，
前記放送信号と前記ストリームデータとをデコードするデコード手段と，
前記リモコンからのチャンネルアップダウン切替操作によって前記放送信号により提供される番組チャンネルおよび前記サーバからのストリームデータにより提供される番組チャンネルを統合したチャンネル切替テーブルが記憶されたメモリ記憶手段と，
前記メモリ記憶手段の内容を書き換えることができるチャンネル切替テーブル変更制御手段と，
前記チャンネルアップダウン切替操作をする際に前記映像表示手段上に次に切り替わるチャンネルのリストを表示する画面表示制御手段と，
を備えることを特徴とする映像視聴装置。
【請求項２】
視聴された番組および視聴時間を計測する視聴傾向計測手段を有し，前記メモリ手段は，前記視聴傾向計測手段から前記サーバに視聴傾向を通知し，前記サーバによって集計された視聴率情報を記憶し，チャンネル選択時には前記画面表示制御手段によって人気度合を表示できることを特徴とする請求項１に記載の映像視聴装置。
【請求項３】
前記映像視聴装置のリモコンは，番組ジャンルを選択するボタンを備え，前記メモリ手段は前記番組ジャンルごと前記チャンネル切替テーブルを備えることを特徴とする請求項１または請求項２に記載の映像視聴装置。
【請求項４】
タイムスケジュールに従って送信される放送信号とネットワーク上のサーバから送信されるストリームデータとを受信し，映像表示手段に映像コンテンツを表示する映像視聴装置において，
前記映像表示手段を制御するリモコンと，
前記サーバからのストリームデータを受信し該サーバに視聴情報を送信するネットワークインタフェースと，
前記リモコンからの制御コマンドを受信する受信手段と，
前記放送信号と前記ストリームデータとをデコードするデコード手段と，
前記リモコンからのチャンネルアップダウン切替操作によって前記放送信号により提供される番組チャンネルおよび前記サーバからのストリームデータにより提供される番組チャンネルを統合したチャンネル切替テーブルが記憶されたメモリ記憶手段と，
前記メモリ記憶手段の内容を書き換えることができるチャンネル切替テーブル変更制御手段と，
前記チャンネルアップダウン切替操作をする際に前記映像表示手段上に次に切り替わるチャンネルのリストを表示する画面表示制御手段と，
を備え，
前記受信手段で受けた前記制御コマンドのうち前記放送信号により提供される番組チャンネルを切り替える場合に前記映像表示手段に対する制御コマンドに変換して発信し，前記リモコンからのチャンネルアップまたはチャンネルダウンの制御コマンドに対してチャンネル番号を指定したチャンネル切替え制御コマンドを発信する発信手段を備えることを特徴とする映像視聴装置。
【発明の詳細な説明】
【技術分野】
【０００１】
本発明は，セットトップボックス（以下，ＳＴＢという。）を用いて映像コンテンツを視聴する場合のチャンネル選択方法に関するものである。
【背景技術】
【０００２】
近年，放送サービスにおいては，地上波のデジタル化，ＢＳ（Ｂｒｏａｄｂａｎｄ  Ｓａｔｅｌｌｉｔｅ）放送やＣＳ（Ｃｏｍｍｕｎｉｃａｔｉｏｎ  Ｓａｔｅｌｌｉｔｅ）放送の発達によって放送チャンネル数は増加の一途を辿っている。
【０００３】
ホテル施設などでは共聴システムを用いて放送信号の載らない空きチャンネルを利用して施設限定の番組を配信するサービスが行われている。このような多チャンネル化に対応した放送番組の選択方法としては，複数桁のチャンネル番号を入力したり，放送波の種類を切り替えてからチャンネル番号やチャンネルアップダウンボタンを押したり，電子番組表をＴＶモニタに表示させて所望の番組を選択したりする方法がある。なかでも，チャンネルアップダウンボタンによって選択する方法は一番単純でよく使用されている。
【０００４】
また，ホテル施設などで番組を提供する手段としてはローカルネットワークを経由してＶｉｄｅｏＯｎＤｅｍａｎｄ（以下,ＶＯＤ)サーバに映像コンテンツを配信する要求を出し，任意の時間にユーザの要望に応じて番組を配信するサービスも行われている。
【０００５】
従来の技術として，チャンネルアップダウンボタンを長く押し続けることで１０ｃｈ分先に進む方法が提案されている。（例えば，特許文献１参照）また，リモコンに備えるウィンドウに履歴を表示することで先に視聴したチャンネルを容易に選択する方法が提案されている。（例えば，特許文献２参照）
【特許文献１】特開２００２−２４６８８１号公報
【特許文献２】特開２００２−３３３３５８号公報
【発明の開示】
【発明が解決しようとする課題】
【０００６】
しかしながら，このような映像視聴装置においては，提供される番組数が増大することによってリモコン上のボタンですばやく見たい番組を選択できなくなってきている。またチャンネル数の変更は都度起こりうることであり，ある一機種のリモコンによって常に容易なチャンネル選択方法を提供をすることが難しくなってきている。このようにチャンネル数が多いと単にチャンネル番号順に変化していくチャンネルアップダウンボタンでのチャンネル変更操作は望みのチャンネルにたどり着くまでに時間がかかる。
【０００７】
本発明は，このような問題を解決するためになされたもので，少ないリモコンのボタン数による簡単な操作によってユーザは番組の提供方法を意識することなくすばやく注目の番組が選択できるようにすることを目的とする。
【課題を解決するための手段】
【０００８】
本発明における映像視聴装置は，タイムスケジュールに従って送信される放送信号とネットワーク上のサーバから送信されるストリームデータとを受信し，映像表示手段に映像コンテンツを表示する映像視聴装置において，前記映像表示手段を制御するリモコンと，
前記放送信号を受信するチューナと，前記サーバからのストリームデータを受信し該サーバに視聴情報を送信するネットワークインタフェースと，前記リモコンからの制御コマンドを受信する受信手段と，前記放送信号と前記ストリームデータとをデコードするデコ
ード手段と，前記リモコンからのチャンネルアップダウン切替操作によって前記放送信号により提供される番組チャンネルおよび前記サーバからのストリームデータにより提供される番組チャンネルを統合したチャンネル切替テーブルが記憶されたメモリ記憶手段と，前記メモリ記憶手段の内容を書き換えることができるチャンネル切替テーブル変更制御手段と，前記チャンネルアップダウン切替操作をする際に前記映像表示手段上に次に切り替わるチャンネルのリストを表示する画面表示制御手段とを備える。
【０００９】
この構成により，チャンネルアップダウン切替操作によって番組の提供方法を意識することなくすばやく注目の番組が選択できる。
【００１０】
また，本発明の映像視聴装置では，視聴傾向計測手段からサーバに視聴傾向を通知し，サーバによって集計された視聴率情報をメモリ手段に記憶しておく。
【００１１】
この構成により，チャンネル選択時には人気度合もあわせて表示することができる。
【００１２】
また，本発明の映像視聴装置では，リモコンに番組ジャンルを選択するボタンを備え，メモリ手段には各ジャンルのチャンネル切替テーブルを備える。
【００１３】
この構成により，ジャンルを選択した上でチャンネルアップダウン切替操作によって番組の提供方法を意識することなく注目の番組によりすばやくたどり着くことができる。
【００１４】
また，本発明の映像視聴装置では，セットトップボックス内におけるチューナがＴＶモニタ内に備わっており，制御コマンド受信手段で受けた制御コマンドのうち放送信号により提供される番組チャンネルを切り替える場合にＴＶモニタに対する制御コマンドに変換して発信し，リモコンからのチャンネルアップまたはチャンネルダウンの制御コマンドに対してチャンネル番号を指定したチャンネル切替え制御コマンドを発信する発信手段を備える。
【００１５】
この構成により，セットトップボックス内にチューナがなくてもチャンネルアップダウン切替操作によって番組の提供方法を意識することなくすばやく注目の番組が選択できる。
【００１６】
また，本発明の別の観点によれば，本発明の映像視聴装置は，タイムスケジュールに従って送信される放送信号とネットワーク上のサーバから送信されるストリームデータとを受信し，映像表示手段に映像コンテンツを表示する映像視聴装置において，前記映像表示手段を制御するリモコンと，前記サーバからのストリームデータを受信し該サーバに視聴情報を送信するネットワークインタフェースと，前記リモコンからの制御コマンドを受信する受信手段と，前記放送信号と前記ストリームデータとをデコードするデコード手段と，前記リモコンからのチャンネルアップダウン切替操作によって前記放送信号により提供される番組チャンネルおよび前記サーバからのストリームデータにより提供される番組チャンネルを統合したチャンネル切替テーブルが記憶されたメモリ記憶手段と，前記メモリ記憶手段の内容を書き換えることができるチャンネル切替テーブル変更制御手段と，前記チャンネルアップダウン切替操作をする際に前記映像表示手段上に次に切り替わるチャンネルのリストを表示する画面表示制御手段とを備え，前記受信手段で受けた前記制御コマンドのうち前記放送信号により提供される番組チャンネルを切り替える場合に前記映像表示手段に対する制御コマンドに変換して発信し，前記リモコンからのチャンネルアップまたはチャンネルダウンの制御コマンドに対してチャンネル番号を指定したチャンネル切替え制御コマンドを発信する発信手段を備える。
【発明の効果】
【００１７】
以上のように本発明は，少ないリモコンのボタン数による簡単な操作によってユーザは番組の提供方法を意識することなくすばやく注目の番組が選択できるようにするという効果を有するものである。
【発明を実施するための最良の形態】
【００１８】
以下に添付図面を参照しながら，本発明の好適な実施形態について詳細に説明する。なお，本明細書及び図面において，実質的に同一の機能構成を有する構成要素については，同一の符号をつけることにより重複説明を省略する。
（第１実施形態）
本発明の第１実施形態における映像視聴装置のチャンネル選択方法について説明する。
【００１９】
本発明の第１実施形態の映像視聴装置を図１に示す。図１を用いて映像視聴装置を説明する前に，ＳＴＢを用いて映像配信サービスを提供するシステムについて説明する。
【００２０】
図２は，本発明の第１実施形態における映像視聴装置を用いた映像配信サービスを提供するシステムの構成を示すブロック図である。配信装置１０は放送信号を各ＳＴＢに送り届ける手段であり，地上波やＢＳ／ＣＳによって送られてくる一般放送信号と，ホテルなどの施設内に限って放送する専用放送信号を映像視聴装置の設置場所に配信する機能を有する。また，専用放送信号については一般放送信号のない空きチャンネルに信号を載せて配信される。配信装置１０から送られてくる放送信号はＳＴＢ２０，２１，２２に入力される。
【００２１】
ＳＴＢ２０，２１，２２はリモコン１００（図１参照）からの制御を受けて放送信号を受信したり，ネットワーク回線の通信によってＷｅｂブラウジングを行ったり，コンテンツストリームデータをデコードしてＴＶモニタ３０，３１，３２に表示する。
【００２２】
また，ＳＴＢ２０，２１，２２が接続されるネットワーク回線にはシステム全体のサービスの利用状況を管理するシステムサーバ４０とユーザから要望されるコンテンツデータを配信するＶＯＤサーバ４１が設けられている。
【００２３】
ＳＴＢ２０，２１，２２とＴＶモニタ３０，３１，３２は，それぞれ一組を単位として各場所に設置されて各々のユーザが自由に使用するものである。
【００２４】
図１に戻り，映像視聴装置の構成について説明する。図１は図２のＳＴＢ２０の部分を中心に詳細を示すブロック図である。ＳＴＢ２０には，ユーザが視聴するチャンネルなどを制御するリモコン１００からの赤外線コマンドを受光する赤外線受光部２０１と放送信号を受信するチューナ２０２とネットワークとのデータを送受信するネットワークＩ／Ｆ部２０７と備えて，外部出力部２１１からＴＶモニタ３０に映像コンテンツを出力する。
【００２５】
リモコンの一例を図３に示す。図３にはＴＶモニタおよびＳＴＢのＯＮ／ＯＦＦを制御する電源ボタン５００，リモコンの動作モードを切り替える切替スイッチ５０１，スタート画面を直ちに表示するメニューボタン５０２，放送信号の種類を切り替えるボタン５０３，ダイレクトにチャンネルを指定するチャンネルボタン５０４，Ｗｅｂブラウジング画面などで画面上のカーソルを動かし決定する場合に使用する矢印ボタン５０５，チャンネルアップダウンを制御するボタン５０６，音量アップダウンを制御するボタン５０７，専用機能を実現する有数のその他のボタン５０８がある。これらによってＳＴＢ２０は制御する。
【００２６】
赤外線受光部２０１により得たデータ信号は制御部２０３に送られて処理される。制御部２０３はＳＴＢ２０の中心にあり，全体のデータの流れを制御する。メモリ２０４は制
御部２０３が処理を行う中で必要とする一時記憶データを格納する手段であり，ネットワーク回線への送受信データをバッファする機能を有する。
【００２７】
チャンネル切替テーブルメモリ２０５は，ＳＴＢ２０によって視聴できる番組チャンネルを管理するメモリであり，図４のように構成されている。データとしては少なくとも，チャンネルのアップダウンによって切り替わるチャンネル順番と，チャンネル名またはＶＯＤの番組名と，人気度を集計した視聴率情報として視聴時間またはＶＯＤ視聴回数と，ＴＶ放送の場合は放送種別とチャンネル番号，ＶＯＤ番組の場合は映像コンテンツの再生を指示するコマンドを持つ。ネットワーク回線によってＶＯＤサーバから提供される番組と多様な放送波によって提供されるチャンネルのすべてが任意の自由な順番に混ざりあっている。ここにはリモコン１００からチャンネルアップまたはチャンネルダウンの命令があったときに制御部２０３からチャンネル切替テーブルメモリ２０５が参照されて，現在表示しているチャンネルの位置をもとに次に切り替えるべきチャンネル番号が決定するようにデータが格納されている。
【００２８】
チャンネル切替テーブル変更制御部２０６は，チャンネル切替テーブルメモリ２０５の書き換えを制御する手段である。チャンネル切替テーブルメモリ２０５に書き込まれている内容はシステム全体の制御方法に従って変更される。たとえば，毎日定時にシステムサーバ４０からデータが配信され，ＳＴＢ２０が受信したときに更新する。
【００２９】
視聴傾向計測手段２０８は，ユーザが視聴しているチャンネルまたはＶＯＤによって提供される番組とその視聴経過時間を記録する手段であり，チャンネルおよびＶＯＤ番組の切り替わりを監視しながら，結果をシステムサーバ４０に通知する。通知するタイミングは，番組の切り替わりごとでもよく，システムで決められて時間に行うものであってもよい。
【００３０】
デコーダ２０９は，放送信号やＶＯＤサーバ４１からネットワーク回線を通って送られてくる映像コンテンツのデータ圧縮されたストリームデータをデコードする手段であり，たとえばＭＰＥＧ２−ＴＳなどのフォーマットに対応する。
【００３１】
画面表示制御部２１０は，ＴＶモニタ３０の画面上にＧＵＩ（グラフィックスユーザインタフェース）を表示する手段であり，チャンネルのアップダウンボタンを押したときに図６のように次に選択されるチャンネルや人気度を表示するために用いる。
【００３２】
次に，本発明の第１の実施の形態の映像視聴装置を用いて映像コンテンツを視聴する場合のチャンネル選択方法の動作について図５のフローチャートを用いて説明する。
【００３３】
システムサーバ４０は，各ＳＴＢ２０，２１，２２の視聴傾向計測手段２０８によって計測されたユーザの視聴情報を受信して集計し，ユーザ内で人気のあるチャンネル，ＶＯＤ番組の順位を決定する。集計の単位は1週間でも1日でもユーザの視聴情報を受信する度に随時行ってもよい。Ｓ１００）次に，チャンネル切り替えテーブルデータを作成する。このとき，図４のようにＴＶ放送であるかＶＯＤ番組であるかに関わらず人気のある順番にチャンネルまたはＶＯＤ番組を並べるようにし，あわせて集計結果から求まった人気度，チャンネルや再生用コマンドなどの番組選択パラメータをデータとして含める。（Ｓ１０１）システムサーバ４０で作成したチャンネル切替テーブルデータは，スケジューリングされた時刻に各ＳＴＢ２０，２１，２２に配信し，チャンネル切替テーブル変更制御部２０６によってチャンネル切替テーブルメモリ２０５を書き換える。（Ｓ１０２）次に，チャンネルの切り替えについて説明する。リモコン１００のチャンネルアップボタンまたはチャンネルダウンボタン５０６が押された場合，赤外線受光部２０１がリモコン１００の信号を受信し，赤外線受光部２０１は命令があったことを制御部２０３に通知する。(
Ｓ１０３)制御部２０３はチャンネルアップまたはチャンネルダウンの命令であることを認識すると，制御部２０３はチャンネル切替テーブルメモリ２０５を読み出し，画面表示制御部２１０は制御部２０３からの命令によってＴＶモニタ３０の画面上に図６のように次に切り替わるチャンネルリストを表示する。（Ｓ１０４）ここで，ＶＯＤ番組が選択される場合には制御部２０３はチャンネル切替テーブル２０５に書かれる再生コマンドに従ってＶＯＤサーバ４１にその番組の再生を要求してＴＶモニタ３０に表示し，ＴＶ放送チャンネルが選択される場合には，制御部２０３がチューナ２０２に対して放送波の種類とチャンネル番号を通知してＴＶモニタ３０に表示する。同時にチャンネル切替テーブルメモリ２０５の中の現在のチャンネル位置を更新する。(Ｓ１０５，Ｓ１０６，Ｓ１０７)  また，リモコン１００にあるダイレクトにチャンネルを指定するチャンネルボタン（５０４）が押されたときには制御部２０３がチャンネル切替データテーブルメモリ２０５内に記憶する現在のチャンネル位置を表示チャンネルに合わせて更新する。（Ｓ１０８，Ｓ１０９）これにより，チャンネルアップダウンボタンの制御によってチャンネル切替データテーブルメモリ２０５のデータを参照しながら視聴傾向に順じて並べられたチャンネル順番で番組を選択することができ，ユーザは番組の提供方法を意識することなく注目の番組にすばやくたどり着くことができ，たとえチャンネル数の変化があってもリモコンのボタンの数は変わらない。
【００３４】
なお，本発明の第１実施形態では，ＴＶモニタとＳＴＢはシステムの中に３組存在するように説明したが，３組以上でも構わない。
【００３５】
また，システム内の視聴傾向を集計することによって人気度を求めるようにしてチャンネル切り替えリストを作成したが外部から提供される視聴率データを用いてチャンネル切り替えリストのデータに加えてもよい。
【００３６】
また，チャンネル切り替えテーブルデータの作成においては，人気順にこだわることなく，ホテル案内チャンネルのようにユーザに積極的に視聴してほしいチャンネルを人気順とは関係なく任意の位置に配置してシステムを提供する立場の都合を加味してもよい。
【００３７】
また，チャンネル選択操作においてＶＯＤ番組を選択された場合に課金対象となる番組などに配慮して番組を紹介するページを表示したのちにユーザの判断でコンテンツが再生されるようであってもよい。その場合，チャンネル切替テーブルには番組を紹介するページのネットワークアドレスを組み込むようにする。
（第２実施形態）
本発明の第２実施形態における映像視聴装置のチャンネル選択方法について説明する。
【００３８】
本発明の第２実施形態の映像視聴装置を図７に示す。なお，装置構成は第１実施形態と概ね同様であるため同一構成には同一符号を付与して説明は省略する。本実施形態の映像視聴装置は第１実施形態の映像視聴装置とは，ＳＴＢ内に放送信号を受信するチューナは備えておらず，ＴＶモニタにのみチューナを備えている点が相違している。
【００３９】
図７を用いて本発明の第２実施形態における映像視聴装置を説明する前に，ＳＴＢを用いて映像配信サービスを提供するシステムについて説明する。
【００４０】
図８は，本発明の第２実施形態における映像視聴装置を用いた映像配信サービスを提供するシステムの構成を示すブロック図である。配信装置１０から送られてくる放送信号は地上波アナログ／デジタル放送，ＢＳ／ＣＳデジタル放送などの多様な放送波に対応したチューナを備えたテレビ３０，３１，３２に届けられる。
【００４１】
図７に戻り，本実施形態の映像視聴装置の構成について説明する。図７は図８のＳＴＢ
２０の部分を中心に詳細を示すブロック図である。ＳＴＢ２０には，外部機器であるＴＶモニタ３０に向かって赤外線コマンドを発光する赤外線発光部２１３を備えている。リモコン１００は１台のみであり，これによってＳＴＢ２０とテレビ３０の両者を制御する。
【００４２】
メモリ２０４はリモコン１００からの赤外線コマンドを外部の機器に対応した赤外線コマンドに変換するためのデータテーブルを格納する。
【００４３】
赤外線発光制御部２１２は，赤外線受光部２０１で受けたコマンドをＴＶモニタ３０に送信する赤外線コマンドとして出力するために赤外線発光部２１３に入力する信号を制御する手段であり，制御部２０３から送られてくるＴＶモニタ３０に適合する赤外線送出コマンドデータを赤外線発光部２１３に入力する信号に変換する。
【００４４】
なお，このＳＴＢ２０には放送信号を受信するチューナは備えていない。
【００４５】
ＴＶモニタ３０は，多様な放送波に対応したチューナ３００を備え，放送番組,ＶＯＤ,Ｗｅｂブラウジング画面などを映し出す手段である。ＳＴＢ２０からの映像信号および音声信号を外部入力端子で受け，ＳＴＢ２０から発光される赤外線コマンド信号を赤外線受光部３０１によって受けることによって制御される。
【００４６】
次に，本発明の第２実施形態における映像視聴装置を用いて映像コンテンツを視聴する場合のチャンネル選択方法の動作について図９のフローチャートを用いて説明する。
【００４７】
チャンネル切替テーブルデータの作成については本発明の第１形態映像視聴装置と同様である。（Ｓ１００〜Ｓ１０２）次に，チャンネルの切り替えについて説明する。リモコン１００のチャンネルアップボタンまたはチャンネルダウンボタン５０６が押された場合，赤外線受光部２０１がリモコン１００の信号を受信し，赤外線受光部２０１は命令があったことを制御部２０３に通知する。(Ｓ１０３)制御部２０３はチャンネルアップまたはチャンネルダウンの命令であることを認識すると，ＴＶモニタ３００に対して外部入力モードに切り替えるように赤外線コマンドを赤外線発光制御部に送り赤外線発光部２１３から発行して切り替える。そののち，制御部２０３はチャンネル切替テーブルメモリ２０５を読み出し，画面表示制御部２１０は制御部２０３からの命令によってＴＶモニタ３０の画面上に図６のように次に切り替わるチャンネルリストを表示する。（Ｓ１０４）
ここで，ＶＯＤ番組が選択される場合にはチャンネル切替テーブル２０５に書かれる再生コマンドに従ってＶＯＤサーバ４１にその番組の再生を要求してＴＶモニタ３０に表示する。(Ｓ１０５，Ｓ１０６)ＴＶ放送チャンネルが選択される場合には，制御部２０３はチャンネル切替データテーブルメモリ２０５から読み出したチャンネル番号に切り替えるためのダイレクト選局コマンドデータをメモリ２０４にあるリモコンコード変換テーブルから読み出す。（Ｓ２００）コマンドデータを赤外線発光制御部２１２に送り，赤外線発光部２１３からＴＶモニタ３０へダイレクト選局チャンネルコマンドが発信されてＴＶチャンネルが切り替わる。同時にチャンネル切替テーブルメモリ２０５の中の現在のチャンネル位置を更新する。（Ｓ２０１，Ｓ１０７)また，リモコン１００にあるダイレクトにチャンネルを指定するチャンネルボタン（５０４）が押されたときには制御部２０３がチャンネル切替データテーブルメモリ２０５内に記憶する現在のチャンネル位置を表示チャンネルに合わせて更新する。（Ｓ１０８，Ｓ１０９）これにより，ＳＴＢ２０内にチューナを有しなくても，現在の視聴チャンネルを管理し，ＴＶモニタ３０に対応したリモコンコードをＳＴＢ２０から発信することによってチャンネル切替データテーブルメモリ２０５のデータを参照しながら視聴傾向に順じて並べられたチャンネル順番で番組を選択することができ，ユーザは番組の提供方法を意識することなく注目の番組にすばやくたどり着くことができ，たとえチャンネル数の変化があってもリモコンのボタンの数は変わらない。
（第３実施形態）
本発明の第３実施形態における映像視聴装置のチャンネル選択方法について説明する。なお，装置構成は第１実施形態の映像視聴装置と概ね同様であるため同一構成には同一符号を付与して説明は省略する。本実施形態における映像視聴装置は第１実施形態における映像視聴装置とは，リモコン１００にジャンル選択ボタンを備えている点が相違している。
【００４８】
本発明の第３実施形態における映像視聴装置のリモコンを図１０に示す。図１０には番組のジャンル選択切替するボタン６００が追加されている。
【００４９】
また，チャンネル切替テーブルメモリ２０５は，図１１のように構成されている。ジャンル毎に，チャンネルのアップダウンによって切り替わるチャンネル順番と，番組名と，人気度を集計した視聴率情報として視聴時間またはＶＯＤ視聴回数と，ＴＶ放送の場合は放送種別とチャンネル番号，ＶＯＤ番組の場合は映像コンテンツの再生を指示するコマンドを持つ。ＴＶ放送の番組名やジャンルについては電子番組表（ＥＰＧ）により配信されるデータを使用し，ネットワーク回線によってＶＯＤサーバから提供される番組と多様な放送波によって提供されるチャンネルのすべてが任意の自由な順番に混ざりあっている。ここにはリモコン１００からチャンネルアップまたはチャンネルダウンの命令があったときに制御部２０３からチャンネル切替テーブルメモリ２０５が参照されて，現在表示しているチャンネルの位置をもとに次に切り替えるべきチャンネル番号が決定するようにデータが格納されている。
【００５０】
次に，映像視聴装置を用いて映像コンテンツを視聴する場合のチャンネル選択方法の動作について図１２のフローチャートを用いて説明する。
【００５１】
システムサーバ４０は，各ＳＴＢ２０，２１，２２の視聴傾向計測手段２０８によって計測されたユーザの視聴情報を番組のジャンルごとに受信して集計し，ユーザ内で人気のある番組，ＶＯＤ番組の順位を決定する。集計の単位は1週間でも1日でもユーザの視聴情報を受信する度に随時行ってもよい。ＴＶ放送についても番組単位で集計する。（Ｓ１００）次に，チャンネル切り替えテーブルデータを作成する。このとき，図１１のようにＴＶ放送であるかＶＯＤ番組であるかに関わらず人気のある順番に番組を並べるようにし，あわせて集計結果から求まった人気度，チャンネルや再生用コマンドなどの番組選択パラメータをデータとして含める。（Ｓ１０１）システムサーバ４０で作成したチャンネル切替テーブルデータは，番組の放送開始時間にあわせて各ＳＴＢ２０，２１，２２に随時配信し，チャンネル切替テーブル変更制御部２０６によってチャンネル切替テーブルメモリ２０５を書き換える。（Ｓ１０２）次に，チャンネルの切り替えについて説明する。リモコン１００のジャンル選択ボタン６００が押された場合，赤外線受光部２０１がリモコン１００の信号を受信し，赤外線受光部２０１は命令があったことを制御部２０３に通知する。(Ｓ３００)制御部２０３はジャンルを選択する命令であることを認識すると，制御部２０３はチャンネル切替テーブルメモリ２０５を読み出し，画面表示制御部２１０は制御部２０３からの命令によってＴＶモニタ３０の画面上に図１３のように選ばれているジャンルと次に切り替わるチャンネルリストを表示する。（Ｓ３０１）次に，リモコン１００のチャンネルアップボタンまたはチャンネルダウンボタン５０６が押された場合，赤外線受光部２０１がリモコン１００の信号を受信し，赤外線受光部２０１は命令があったことを制御部２０３に通知する。(Ｓ１０３)制御部２０３はチャンネルアップまたはチャンネルダウンの命令であることを認識すると，制御部２０３はチャンネル切替テーブルメモリ２０５を読み出し，画面表示制御部２１０は制御部２０３からの命令によってＴＶモニタ３０の画面上に図１４のように次に切り替わるチャンネルリストを表示する。（Ｓ１０４）ここで，ＶＯＤ番組が選択される場合には制御部２０３はチャンネル切替テーブル２０５に書かれる再生コマンドに従ってＶＯＤサーバ４１にその番組の再生を要求してＴＶモ
ニタ３０に表示し，ＴＶ放送チャンネルが選択される場合には，制御部２０３がチューナ２０２に対して放送波の種類とチャンネル番号を通知してＴＶモニタ３０に表示する。同時にチャンネル切替テーブルメモリ２０５の中の現在のチャンネル位置を更新する。(Ｓ１０５，Ｓ１０６，Ｓ１０７)また，リモコン１００にあるダイレクトにチャンネルを指定するチャンネルボタン（５０４）が押されたときには制御部２０３がチャンネル切替データテーブルメモリ２０５内に記憶する現在のチャンネル位置を表示チャンネルに合わせて更新する。（Ｓ１０８，Ｓ１０９）これにより，ジャンルを選択しチャンネルアップダウンボタンの制御によってチャンネル切替データテーブルメモリ２０５のデータを参照しながら視聴傾向に順じて並べられたチャンネル順番で番組を選択することができ，ユーザは番組の提供方法を意識することなく注目の番組によりすばやくたどり着くことができる。
【００５２】
なお，画面に表示されるリストの形式は図１３，図１４に限られず，決められたジャンルと番組リストと人気度が表示される形式であればよい。
【図面の簡単な説明】
【００５３】
【図１】本発明の第１実施形態における映像視聴装置のブロック図
【図２】本発明の第１実施形態におけるＳＴＢを含むシステムのブロック図
【図３】本発明の第１実施形態における映像視聴装置で用いるリモコンの一例を示す説明図
【図４】本発明の第１実施形態におけるＳＴＢを用いて視聴できる番組チャンネルを管理するメモリを示す説明図
【図５】本発明の第１実施形態におけるＳＴＢを用いて映像コンテンツを視聴する場合のチャンネル選択方法の動作を示すフローチャート
【図６】本発明の第１実施形態におけるＳＴＢを用いて映像コンテンツを視聴する場合のチャンネル選択時に表示される画面イメージ図
【図７】本発明の第２実施形態における映像視聴装置のブロック図
【図８】本発明の第２実施形態におけるＳＴＢを含むシステムのブロック図
【図９】本発明の第２実施形態におけるＳＴＢを用いて映像コンテンツを視聴する場合のチャンネル選択方法の動作を示すフローチャート
【図１０】本発明の第３実施形態における映像視聴装置で用いるリモコンの一例を示す説明図
【図１１】本発明の第３実施形態におけるＳＴＢを用いて視聴できる番組チャンネルを管理するメモリを示す説明図
【図１２】本発明の第３実施形態におけるＳＴＢを用いて映像コンテンツを視聴する場合のチャンネル選択方法の動作を示すフローチャート
【図１３】本発明の第３実施形態におけるＳＴＢを用いて映像コンテンツを視聴する場合のジャンル選択時に表示される画面イメージ図
【図１４】本発明の第３実施形態におけるＳＴＢを用いて映像コンテンツを視聴する場合のチャンネル選択時に表示される画面イメージ図
【符号の説明】
【００５４】
１０  配信装置
２０  セットトップボックス（ＳＴＢ）
２１  セットトップボックス（ＳＴＢ）
２２  セットトップボックス（ＳＴＢ）
３０  ＴＶモニタ
３１  ＴＶモニタ
３２  ＴＶモニタ
４０  システムサーバ
４１  ＶＯＤサーバ
１００  リモコン
２０１  赤外線受光部
２０２  チューナ
２０３  制御部
２０４  メモリ
２０５  チャンネル切替テーブルメモリ
２０６  チャンネル切替テーブル変更制御部
２０７  ネットワークＩ／Ｆ部
２０８  視聴傾向計測手段
２０９  デコーダ
２１０  画面表示制御部
２１１  外部出力部
２１２  赤外線発光制御部
２１３  赤外線発光部
３００  チューナ
３０１  赤外発光部
３０２  制御部
５００  電源ボタン
５０１  切り替えスイッチ
５０２  メニューボタン
５０３  放送種類切り替えボタン
５０４  チャンネルボタン
５０５  矢印ボタン
５０６  チャンネルアップダウンボタン
５０７  音量ボタン
５０８  専用機能ボタン
６００  ジャンル選択切り替えボタン
【図１】
2007325157.tif 000003
【図２】
2007325157.tif 000004
【図３】
2007325157.tif 000005
【図４】
2007325157.tif 000006
【図５】
2007325157.tif 000007
【図６】
2007325157.tif 000008
【図７】
2007325157.tif 000009
【図８】
2007325157.tif 000010
【図９】
2007325157.tif 000011
【図１０】
2007325157.tif 000012
【図１１】
2007325157.tif 000013
【図１２】
2007325157.tif 000014
【図１３】
2007325157.tif 000015
【図１４】
2007325157.tif 000016